(57)【特許請求の範囲】
【請求項１】
臨床情報システム上で患者情報を表示するための方法であって、
前記臨床情報システムのユーザを識別するステップと、
データベースに保存された情報のセットから、前記識別されたユーザに関する患者の条件に関する情報のサブセットを、前記識別されたユーザに基づき識別するステップと、
前記患者の条件に関する患者情報の前記サブセットの第１の部分を表示するための第1の複数のウィンドウペインを含み、前記第1の複数のウィンドウペインは、前記識別されたユーザおよび前記識別されたユーザの位置に基づき予め規定された設定を有し、前記第１の複数のウィンドウは、権限のあるユーザによって修正されることができる、第1のダッシュボードを提供するステップと、
患者情報の前記サブセットの前記第1の部分とは異なる第２の部分を表示するための第2の複数のウィンドウペインを含む第2のダッシュボードを提供するステップと、
前記第1の複数のウィンドウペインの少なくとも1つにおいてアイテムが選択されると、前記第2のダッシュボードを開かせるリンクを規定するステップと
を含み、
前記第1のダッシュボードは、前記第2のダッシュボードとして再設定可能である方法。
【請求項２】
前記患者情報の前記サブセットの前記第1および第2の部分はそれぞれ異なる、請求項1に記載の方法。
【請求項３】
前記第2の複数のウィンドウペイン中に提示される情報の一部分が、前記第1の複数のウィンドウペイン中に提示される情報と同一である、請求項2に記載の方法。
【請求項４】
前記リンクはさらに、前記第1のダッシュボードを自動的に最小化させる、隠させる、または閉じさせる、請求項1に記載の方法。
【請求項５】
前記第1のダッシュボードは、少なくとも1つの他のウィンドウペインを含むように再設定可能である、請求項1に記載の方法。
【請求項６】
電子ディスプレイと、
デバイスのユーザを識別するために前記デバイス上で１つまたは複数のプロセッサを実行するソフトウェアと、
データベースに保存されたデータのセットから、前記識別されたユーザに関する患者に関するデータの第１のサブセットおよび第２のサブセットを、前記識別されたユーザに基づき識別するために、前記デバイス上で１つまたは複数のプロセッサを実行するソフトウェアと、
前記患者に関連するデータの前記第1のサブセットを含むペインの第1の集合体であって、ペインの前記第1の選択は、前記識別されたユーザおよび前記識別されたユーザの位置に基づき予め規定された設定を有し、ペインの前記第１の選択は、権限のあるユーザによってカスタマイズ可能である、第1の集合体と、
前記患者に関連するデータの前記第2のサブセットを含むペインの第2の集合体であって、前記第1および第2のサブセット中のデータの少なくとも一部がそれぞれ異なり、ペインの前記第1の集合体の中の1つの中のリンクを選択することによって、ペインの前記第2の集合体の表示が開始される、第2の集合体と、を含み、
データの前記第１および第２のサブセットは、前記患者の前記条件に関するデータであり、
ペインの前記第１の集合体およびペインの前記第２の集合体は、前記電子ディスプレイ上に表示される、デバイスのグラフィカルユーザインターフェース(「GUI」)。
【請求項７】
さらに前記リンクの前記選択によって、ペインの前記第1の集合体が表示されなくなる、請求項6に記載のGUI。
【請求項８】
前記リンクの前記選択によって、ペインの前記第2の集合体が同時に表示される、請求項6に記載のGUI。
【請求項９】
ペインの前記第2の集合体は、前記リンクが選択されるあるペイン中のデータに固有の情報を含む、請求項6に記載のGUI。
【請求項１０】
前記第2の集合体は、前記リンクが選択されるあるペイン中のデータに固有のグラフィック表示を有する少なくとも1つのペインを含む、請求項6に記載のGUI。
【請求項１１】
臨床情報システムのユーザを識別するステップと、
データベースに保存された情報のセットから、前記識別されたユーザに関する患者の条件に関する情報のサブセットを、前記ユーザに基づき識別するステップと、
前記患者の条件に関する患者情報の前記サブセットの第１の部分に関するビューを提示するための複数のウィンドウペインを含む予め設定された第1のダッシュボードを表示するステップであって、各ビューは、あるフォーマットにおいてあるデータのセットを表示するためのものであり、前記予め設定された第1のダッシュボードは、前記識別されたユーザおよび前記識別されたユーザの位置に基づき予め規定された設定を有する、予め設定された第1のダッシュボードを表示するステップと、
権限のあるユーザが、前記ウィンドウペインの少なくとも1つのビューを修正することによって、第2のダッシュボードを作成することを可能にするステップと、
前記権限のあるユーザが前記第２のダッシュボードを表示または修正できるかを決定するためにルールのセットを作成するステップと、
前記第2のダッシュボードを保存するステップと、
ルールの前記セットを保存するステップと、
前記患者用に前記第１のダッシュボードの代わりに前記第２のダッシュボードを表示するステップであって、前記第２のダッシュボードは、患者情報の前記サブセットの第２の部分を表示し、前記第２の部分は、前記第１の部分とは異なる、表示するステップと
を含む、ダッシュボードを設定するための方法。
【請求項１２】
少なくとも2つのペインの第1のグループを含む患者に関する情報を表示するための予め設定された第１のダッシュボードを提供するステップであって、前記ダッシュボードはペインの第2のグループを含むように再設定可能であり、前記第2のグループの中の少なくとも1つのペインが前記第1のグループの中のペインとは異なり、少なくとも1つのペインは、患者の条件に関する情報を表示するためのものである、第１のダッシュボードを提供するステップと、
前記ダッシュボードを表示するための表示エリアを提供するステップと、
ウィンドウペインの第３のグループを含む第２のダッシュボードを提供するステップであって、前記第１のダッシュボードは、前記第２のダッシュボードが開かれた後、ペインの第２のグループを含むように再設定可能である、第２のダッシュボードを提供するステップと、
ユーザが前記第２のダッシュボードを表示または修正できるかを決定するためにルールを提供するステップと、
前記第１のダッシュボードの前記再設定されたグループを保存するために、および前記ルールを保存するために、データベースを提供するステップと
を含む方法。
【請求項１３】
少なくとも1つのペインが、ある患者の条件に関連する情報を表示するためのものである、請求項１２に記載の方法。
【請求項１４】
前記表示エリアはウィンドウの表示エリアである、請求項１２に記載の方法。
【請求項１５】
前記第２のダッシュボードが開かれる時、前記第１のダッシュボードは、両方のダッシュボードが同時に閲覧できるような方法で配置される、請求項１に記載の方法。
【請求項１６】
前記第２のダッシュボードは、前記選択されたアイテムに関する推薦されるダッシュボードである、請求項１に記載の方法。
【請求項１７】
前記第１のダッシュボードまたは前記第２のダッシュボードの１つまたは複数のウィンドウペインを前記ユーザにより変更可能とするステップをさらに含む、請求項１１に記載の方法。
【請求項１８】
前記データベースは、インターネットを介して異なるサーバから情報を受信する、請求項１に記載の方法。
【請求項１９】
前記データベースは、インターネットを介して異なるサーバから情報を受信する、請求項６に記載のＧＵＩ。
【請求項２０】
前記データベースは、インターネットを介して異なるサーバから情報を受信する、請求項１１に記載の方法。
【請求項２１】
前記データベースは、インターネットを介して異なるサーバから情報を受信する、請求項１２に記載の方法。
【発明の詳細な説明】
【技術分野】
【０００１】
本発明は、患者データを閲覧するためのダッシュボードを提供する臨床情報システムを対象とする。具体的には、この発明は、ダッシュボードをリンクさせること、ならびにダッシュボードを設定することおよび予め設定されたダッシュボードを開くことを対象とする。
【背景技術】
【０００２】
近年、病院では、デジタル形式で各患者について作成する情報量が、その情報の全てを処理しようとする人間を圧倒する程度にまで増加してきている。例えば、患者の心拍数または血圧が、1分当たり複数回生成される新たな値に関して継続的にモニタされることがある。
【０００３】
したがって、そのようなデータを表示するためのシステムが開発されている。これらのシステムのいくつかは、患者についての特定の情報を表示するためのコンピュータまたは他の電子ディスプレイ用のダッシュボードの形態をとる。従来のダッシュボードは、1つまたは複数のデータリポジトリからデータを引き出すためのオプションのメニューを提示する。残念なことには、多くの場合、関連データを検出するために圧倒的な量の未加工データをソートして調べることは、病院などの時間的制約のある環境においては多くの時間を費やす大変な作業である。したがって、ユーザが選択された患者に関する関連情報を容易に表示するために使用するのに適切なダッシュボードを選択するのを補助するシステムが必要となっている。
【先行技術文献】
【特許文献】
【０００４】
【特許文献１】米国特許出願整理番号第12/036,287号
【発明の概要】
【課題を解決するための手段】
【０００５】
いくつかの実施形態が、1つの方法を提供する。この方法は、患者の条件のアスペクトの第1のセットに関する情報を提供するための第1の複数のウィンドウペインを含む第1のダッシュボードを提供する。また、この方法は、患者の条件のアスペクトの第2のセットに関する情報を提供するための第2の複数のウィンドウペインを含む第2のダッシュボードを提供する。さらに、この方法は、第1の複数のウィンドウペインの少なくとも1つにおいてアイテムが選択されると、第2のダッシュボードを開かせるリンクを規定する。
【０００６】
いくつかの実施形態が、ダッシュボードを設定するための方法を提供する。この方法は、患者の条件のアスペクトの第1のセットに関するビューを提供するための複数のウィンドウペインを含む、予め設定された第1のダッシュボードを表示し、各ビューは、ある特定のフォーマットにおいてある特定のデータのセットを表示するためのものである。次いで、この方法によって、ある特定のユーザは、少なくとも1つのウィンドウペインのビューを修正することによって第2のダッシュボードを作成することが可能となる。次いで、この方法は第2のダッシュボードを保存する。
【０００７】
いくつかの実施形態によって、ウィンドウのビューを変更することが可能になるだけでなく、ダッシュボードの1つまたは複数のウィンドウを変更することが可能になる。
【０００８】
本発明の新規の特徴は、添付の特許請求の範囲に記載される。しかし、説明のために、複数の実施形態が、以下の図面に示される。
【図面の簡単な説明】
【０００９】
【図１】いくつかの実施形態の概念的なシステムアーキテクチャを示す図である。
【図２】いくつかの実施形態のダッシュボードの一例を示す図である。
【図３】種々のダッシュボードを共にリンクする一例を提示するダッシュボードの階層を示す図である。
【図４】いくつかの実施形態における種々のダッシュボードを共にリンクするためのプロセスを概念的に示す図である。
【図５】別のダッシュボードにリンクするダッシュボードの例を示す図である。
【図６】図5に示されるダッシュボードにリンクされるダッシュボードの一例を示す図である。
【図７】ダッシュボードのウィンドウ内のビューのカスタマイズの一例を提示する、ダッシュボードの階層を示す図である。
【図８】ダッシュボード内のウィンドウのカスタマイズの一例を提示する、ダッシュボードの階層を示す図である。
【図９】ユーザが既存のダッシュボードにもとづいて新しいダッシュボードを作成するためのプロセスを概念的に示す図である。
【図１０】ダッシュボード中のウィンドウのビューのカスタマイズを例示する例を示す図である。
【図１１】ダッシュボード中のウィンドウのビューのカスタマイズを例示する例を示す図である。
【図１２】患者の条件が患者概要ウィンドウから選択される場合の関連情報の表示を例示する例を示す図である。
【図１３】患者の条件が患者概要ウィンドウから選択される場合の関連情報の表示を例示する例を示す図である。
【図１４】本発明のいくつかの実施形態を実現するコンピュータシステムを概念的に示す図である。
【発明を実施するための最良の形態】
【００１０】
以下の記載において、説明のために多数の詳細が示される。しかし、本発明は、これらの特定の詳細を使用することなく実施し得ることが、当業者には理解されよう。他の場合においては、不要な詳細により本発明の説明を不明瞭にしないために、よく知られている構造物およびデバイスが、ブロック図の形式において示される。
【００１１】
いくつかの実施形態が、1つの方法を提供する。この方法は、患者の条件のアスペクトの第1のセットに関する情報を提供するための第1の複数のウィンドウペインを含む第1のダッシュボードを提供する。また、この方法は、患者の条件のアスペクトの第2のセットに関する情報を提供するための第2の複数のウィンドウペインを含む第2のダッシュボードを提供する。さらに、この方法は、第1の複数のウィンドウペインの少なくとも1つにおいてアイテムが選択されると、第2のダッシュボードを開かせるリンクを規定する。
【００１２】
いくつかの実施形態が、ダッシュボードを設定するための方法を提供する。この方法は、患者の条件のアスペクトの第1のセットに関するビューを提供するための複数のウィンドウペインを含む予め設定された第1のダッシュボードを表示し、各ビューは、ある特定のフォーマットにおいてある特定のデータのセットを表示するためのものである。次いで、この方法によって、ある特定のユーザは、少なくとも1つのウィンドウペインのビューを修正することによって第2のダッシュボードを作成することが可能となる。次いで、この方法は第2のダッシュボードを保存する。
【００１３】
いくつかの実施形態によって、ウィンドウのビューを変更することが可能になるだけでなく、ダッシュボードの1つまたは複数のウィンドウペインを変更することが可能になる。
【００１４】
I. 概要
図1は、いくつかの実施形態の概念的なシステムアーキテクチャを示す。患者データが、複数の異なる患者データソース105から、臨床データマネジャ110にて受信される。臨床データマネジャ110は、患者をモニタしているモニタからのバイタル値、ラボレポートおよび医療画像(例えばX線写真、磁気共鳴画像診断(MRI)、コンピュータ断層撮影(CT)スキャンなど)などの客観的データ、ならびに医師の評価、医師の診断または、様々なデータソース105による医師の治療プランなどの主観的データを収集する。この収集データは、様々なラボおよび病院などの1つまたは複数の場所から得ることができる。
【００１５】
臨床データマネジャ110は、(患者のデータのスナップショットとして、または経時的なデータの記録として)個々の患者に関するデータを収集するために、および/または、例えば医療資源を効率的に配分するためになど様々な理由により(いくつかの場合においては各患者の統計データにおける変化を含む)患者間の統計データを比較するために、患者データを受信し、正規化し、分析し、および/または集約する。
【００１６】
臨床データマネジャ110は、様々な臨床情報インターフェース115を介して、データをレポートし、データを発信し、および/またはアラートをユーザに発してデータを知らせる。いくつかの実施形態においては、これらのインターフェースは、医療システム内におけるユーザの職務またはインターフェースが表示される特定の端末、および/または、個々のユーザおよび/または患者の切迫した需要に応じて相互に異なる。いくつかの実施形態においては、インターフェースは場所に応じてそれぞれ異なる。例えば、心臓集中治療ユニット内にいるユーザがあるデータのセットを受信し、神経外科内にいるユーザが、別のセットのデータを受信する。以下でさらに説明されるように、インターフェースは、特定の患者の診断または条件に応じてそれぞれ異なってよい。いくつかの実施形態においては、臨床データマネジャは、様々なインターフェース115に対してリアルタイムでデータを提供する。
【００１７】
図2は、そのような臨床情報インターフェース200の1つを例示する例を提示する。図示されるように、インターフェースは、グラフィックで提供され、(1)タイトルバー230、(2)メニューバー235、(3)マスターツールバー240および(4)複数のウィンドウ205を含む。マスターツールバー240は、インターフェース200の最下部に表示され、様々なアプリケーション機能への容易なアクセスを含む。例えば、マスターツールバーは、臨床データをリフレッシュするため、ラボ結果を表示させるため、ビリング情報を表示させるため、他のウィンドウを開くためなどのボタンを含んでよい。
【００１８】
インターフェース200中のウィンドウの複数が、1人または複数の患者に関する臨床データを表示する。ウィンドウペイン(ウィンドウペインのビューとも呼ばれる)中に表示される情報は、レポート、リスト、ノート、グラフ、画像などを含む、様々な形態のものであってよい。例えば、表示される情報は、患者の条件の重篤度、条件のトレンド(例えば改善および悪化など)、条件の原因、条件の副次的結果などを評価するために必要なデータを含んでよい。図示されるように、各ウィンドウ205は、ウィンドウに関する情報を表示するタイトルバー220と、選択可能タブ、プルダウンメニュー、検索バーまたは様々な他のツールボタンを含み得るメニューバー225とを任意に有することが可能である。
【００１９】
ウィンドウペインの複数が、1つまたは複数の臨床データアイテムの異なるビューを提示する。例えば、ウィンドウペイン210は、患者の「血液ガス」に関するラボレポートを表示するためのビューを提示する。ラボレポートは、複数の血液ガスに関する測定値のリストとして提示され、いくつかの場合においては、追加的な詳細を提示するために、リスト上のある特定のアイテムを拡張することが可能である。一方で、ラボレポートは、リスト中のアイテムを選択し、メニューバー225中のタブ245を選択することによって、グラフとして提示することも可能である。いくつかの実施形態においては、ラボレポートは、リスト中のアイテムを単に選択する(例えばアイテムをダブルクリックすることにより)ことによって、グラフとして提示することが可能である。ウィンドウペイン215により提示されるビューは、ある期間にわたる患者の血液中の酸素飽和のパーセンテージ(SpO2)を示すグラフの一例である。いくつかの実施形態においては、ビュー中に表示される情報が、確立された治療指針または診療記録を含んでよい。そのような指針は、公開リファレンスソースから、またはカスタマイズされた施設内部方針から取得することができる。例えば、患者が高血糖に関して診断される場合には、ダッシュボードのビューの1つが、この条件をいかに治療するかに関する大学の方針を提示してよい。
【００２０】
1つまたは複数のウィンドウペイン205〜210の集合体をダッシュボードと呼ぶ。いくつかの実施形態が、ダッシュボードを表示するためのロバスト方法体系を提供する。この方法体系によって、2つのダッシュボードを共にリンクさせることが可能となり、それにより、第1のダッシュボードを表示しながら、第1のダッシュボード中のアイテムの選択と同時に第2のダッシュボードを開くことが可能となる。いくつかの実施形態においては、第2のダッシュボードが開かれると、第1のダッシュボードは、自動的に最小化される、隠される、またはいくつかの場合においては閉じられる。いくつかの実施形態においては、第2のダッシュボードが開かれると、第1のダッシュボードは、両方のダッシュボードを同時に閲覧することが可能となるような様式で配置される。
【００２１】
いくつかの実施形態においては、ダッシュボードのリンク付けは、何を参照することをユーザが最も希望するかにもとづく。具体的には、ダッシュボードの1つまたは複数のビューの中に表示される情報は、医師などの訓練を受けたまたは経験を積んだ専門家の典型的な一連の思考および一連の評価に従う目的で、設計され設定される。例えば、1つのダッシュボードが、経時的な10個の最も関連するラボ結果のスプレッドシートにリンクしてよく、または経時的な1つまたは2つの重要なラボ結果の傾向プロットに通じていてよい。これによって、インターフェースのユーザは、大量の情報をソートして調べる必要を伴わずに最も関連のある情報を取得することが可能となる。
【００２２】
いくつかの実施形態により、ダッシュボードをリンクさせることが可能となるばかりでなく、予め規定された設定に対してダッシュボードを開かせることが可能になる。このようにして、最も関連のある情報がユーザに初めに提示される。最も関連のある情報を初めに提示させるこのコンセプトは、ドリルダウンコンセプトとも呼ばれるが、その理由は、これは、大量のデータを掘り渡り(drill through)、ユーザが初めに参照することを希望するデータを迅速に引き出すからである。例えば、患者の全放射線スキャンのリストを含むビューから開始する代わりに、現在の胸部X線写真のビューおよび前回の胸部X線写真のビューから開始するように、ダッシュボードを設定することができる。したがって、プルモデルによりデータを引き出す(例えば関連データを受信するために様々なリンクを選択する)代わりに、ダッシュボードのいくつかの実施形態は、第1のビューとして関連データを引き出すプッシュモデルを使用する。いくつかの実施形態においては、ダッシュボードの様々な設定が提供され、図1に図示されるようなダッシュボードライブラリまたはデータベース120に保存される。いくつかの実施形態においては、関連データは、医療施設から引き出されるばかりでなく、インターネットを介して様々なサーバ(例えば図書館、教育機関など)から引き出される。
【００２３】
本発明の複数のさらに詳細な実施形態が、以下でセクション中にて説明される。具体的には、セクションIIでは、いくつかの実施形態における種々のダッシュボードを共にリンクすることが説明される。次いで、セクションIIIでは、いくつかの実施形態におけるある特定のダッシュボードのドリルダウンの方法が説明される。最後に、セクションIVでは、本発明のいくつかの実施形態を実現するコンピュータシステムの説明がなされる。
【００２４】
II. 種々のダッシュボードのリンク
いくつかの実施形態が、種々のダッシュボードを互いにリンクさせることが可能なダッシュボードの階層を提供する。いくつかの実施形態においては、1人または複数の患者に関する臨床情報をユーザが閲覧するために、これらのダッシュボードの初期セットが予め設定され、使用可能である。ユーザは、最上レベルのダッシュボードから開始することが可能であり、現在のダッシュボード中のアイテムまたはリンクを選択することによって別のダッシュボードをアクティブにすることが可能である。
【００２５】
図3は、いくつかの実施形態におけるダッシュボードの階層300を示す。この図は、最上レベルノード305および複数の他のノード310〜340を含む。階層の各ノードは、ある特定のダッシュボードを表す。各ダッシュボードは、関連付けされる1つまたは複数のウィンドウペイン345〜380を有する。例えば、ダッシュボード325は、3つのウィンドウペイン365を有する。各ウィンドウペインは、1つまたは複数の臨床データアイテムに関するある特定のビューを提示する。例えば、これらのウィンドウは、ある特定の患者に関する様々な情報を表示することができる。あるウィンドウペインが患者のCTスキャンを表示し、他のウィンドウペインがラボレポートを表示し、第3のウィンドウが酸素飽和のグラフを表示することができる。
【００２６】
また、図3に図示されるように、各ダッシュボードは、1つまたは複数の他のダッシュボードにリンクさせることができる。例えば、ダッシュボード315は、3つの他のダッシュボード330〜340にリンクされる。3つのダッシュボードのそれぞれは、ダッシュボード315においてアイテムが選択されると(例えばウィンドウペイン中に表示されたアイテムをダブルクリックすることによって)、アクティブになる。いくつかの実施形態においては、別のダッシュボードをアクティブにすることおよび表示することによって、現在選択されているダッシュボードが最小化され、隠され、または閉じられる。
【００２７】
いくつかの実施形態においては、ダッシュボードのリンク付けは、何を参照することをユーザが最も希望するかにもとづく。上記で具体的に述べたように、ダッシュボードの1つまたは複数のビュー中に表示される情報は、訓練を受けたまたは経験を積んだ専門家の典型的な一連の思考および一連の評価に従う目的で、設計され設定される。これによって、インターフェースのユーザは、様々な収集データをソートして調べる必要を伴わずに最も関連のあるデータを取得することが可能となる。
【００２８】
図4は、いくつかの実施形態における種々のダッシュボードを共にリンクするためのプロセス400を概念的に示す。図示されるように、このプロセスは、(405で)、臨床情報インターフェースにおいて臨床関連データのリストを表示する。例えば、このプロセスは、ある病院内のある特定の病棟内の様々な患者のリスト、ある特定の医師の全ての患者のリスト、またはある特定の疾病を有する全ての患者のリストを表示することができる。いくつかの場合においては、このプロセスは、1人または複数の患者に関する情報を含む概要ウィンドウを表示することができる。
【００２９】
次に、410で、このプロセスは、リスト中のある特定のアイテムに関連する臨床データのセットを表示するためのペインのセットを有するダッシュボードを表示する要求を受信する。例えば、医師は、ある患者に関するデータを表示させるためにその患者の名前をクリックすることができる。次いで、このプロセスは、(415で)、ダッシュボードを表示する。図5は、患者リストウィンドウ505から患者が選択されると表示されるようなダッシュボード500の一例を提示する。具体的には、このダッシュボードは、患者リストウィンドウ505から選択された患者に関する臨床データを含む複数のウィンドウペインを表示する。いくつかの実施形態においては、患者リストウィンドウ505は、ダッシュボードの一部と見なされない。
【００３０】
図5に図示されるように、ユーザが患者リストウィンドウから患者を選択すると、(1)患者のスキャン結果を表示するスキャン結果ウィンドウ510、(2)複数のラボ結果を表示するラボ結果ウィンドウ515、(3)患者のデモグラフィックを表示するデモグラフィックウィンドウ520、(4)看護情報を表示する看護情報ウィンドウ525、(5)患者のバイタル値を表示するバイタルウィンドウ530および(6)患者のレポートを表示するレポートウィンドウ535を含むダッシュボード500がユーザに提示される。
【００３１】
次に、420で、このプロセスは、ダッシュボードにおいてアイテムが選択されたことの示唆を受信する。図3に戻り参照すると、ダッシュボード(315など)は、ダッシュボード中の様々なアイテムを介して複数の他のダッシュボード330〜340にリンクさせることができる。これらのアイテムの中の1つが選択されると(例えばそのアイテムをクリックすることにより)、対応するダッシュボードが表示される。例えばウィンドウのビューは、ある特定の条件に関する複数の推奨されるダッシュボードへのリンクを含んでよい。いくつかの実施形態においては、ある特定のアイテムが選択されると(例えばユーザが右クリックをする、または他の場合には何らかの方式において選択すると)、1つまたは複数の推奨されるダッシュボードがユーザに提示される。いくつかの実施形態においては、アイテムを選択すると、推奨されるダッシュボードを表示するウィンドウペインの既存のビューが、その選択されたアイテムに関連する推薦されるダッシュボードを表示させる。このようにして、ユーザは、関連データを容易に閲覧するために、あるダッシュボードから別のダッシュボードへと移動することが可能である。
【００３２】
したがって、このプロセスは、(425で)、選択されたアイテムを介して現在のダッシュボードが別のダッシュボードにリンクされることを決定すると、このプロセスは、(430で)、他のダッシュボードを表示する。図6は、ダッシュボード500からアイテムが選択された場合に表示される別のダッシュボード600の一例を提示する。具体的には、ユーザは、ウィンドウの1つの中でリンクを選択している、または複数の推奨されたダッシュボードから1つの推奨されたダッシュボードを選択している。図示されるように、複数の一覧表またはレポートを表示する代わりに、ダッシュボード600は、患者のブドウ糖のグラフ605、温度のグラフ610および画像ビュー615を含むダッシュボードをユーザに提示する。いくつかの実施形態においては、種々のダッシュボードが、状況的に適切な情報を表示するためにリンクされる。例えば、患者の条件を表示するダッシュボードが、その条件の治療に関連する別のダッシュボードにリンクされてよい。
【００３３】
次いで、このプロセスは、上述の420に進む。一方、このプロセスが、選択されたアイテムによって現在のダッシュボードが任意の別のダッシュボードにリンクされないことを決定すると、このプロセスは、(435で)、現在のダッシュボードを表示し続ける。例えば、ダッシュボード500中のアイテムが任意の他のダッシュボードにリンクしない場合には(例えばこのアイテムに関連するデータがもはやない)、現在のダッシュボードが表示されたままとなる。435の後に、このプロセスは、上述の420に進む。
【００３４】
III. ダッシュボードのドリルダウン
いくつかの実施形態により、予め規定された設定に対して1つまたは複数のダッシュボードを開かせることが可能になる。このようにして、最も関連のある情報がユーザに初めに提示される。最も関連のある情報を初めに提示させるこのコンセプトは、ドリルダウンコンセプトとも呼ばれるが、その理由は、これは、大量のデータを掘り渡り、ユーザが初めに参照することを希望するデータを迅速に引き出すからである。例えば、患者の全放射線スキャンのリストを含むビューから開始する代わりに、現在の胸部X線写真のビューおよび前回の胸部X線写真のビューから開始するように、ダッシュボードを予め設定することができる。いくつかの実施形態においては、データの引き出しは、患者レベルだけでなく、ユーザレベルでも行われる。換言すると、ユーザの役割(例えば医師、看護士など)およびユーザの位置もまた、関連データの引き出しに寄与するファクタとなり得る。例えば、心臓集中治療ユニット内にいる看護士が、神経外科医以外の様々なデータのセットを受信する。
【００３５】
いくつかの実施形態によって、ユーザは、既存のダッシュボードにもとづいて新しいダッシュボードを作成することが可能となる。ユーザは、新しいダッシュボードを作成するために、ダッシュボード中の1つまたは複数のウィンドウペインのビューを変更することが可能である。例えば、ユーザは、ラボレポートからラボレポート中のある特定のアイテムのグラフへとウィンドウペインの表示を変更することが可能である。または、ユーザは、データ値のセットについて、グラフ表示から一覧表表示へとウィンドウペインのビューを変更することが可能である。いくつかの実施形態によって、ウィンドウのビューを変更することが可能となるばかりでなく、ダッシュボードの1つまたは複数のウィンドウを変更することが可能となる。
【００３６】
図7は、ダッシュボードのカスタム化を示すダッシュボードの階層700を提示する。この階層は、ユーザが既存のダッシュボード325にもとづいて新しいダッシュボード385を作成したことを除いては、図3におけるものと同一のダッシュボードを有する。図示されるように、ダッシュボード325は、3つのそれぞれ異なるビューA1、B1およびC1を有する3つのウィンドウペインを有する。これらのウィンドウペインは、例えばCTスキャン、ラボレポートおよび酸素飽和のグラフを表示することができる。
【００３７】
図7の例においては、ユーザは、ある特定の患者に関して、第2のウィンドウペイン中に完全なラボレポートを表示する代わりに、ブドウ糖変化のグラフを表示することがより適切であることを決定している。ユーザは、第2のウィンドウペインにおけるビューが、ラボレポートからブドウ糖変化に関するグラフへと変更されることを除いては、ダッシュボード325と同様の新しいダッシュボードを作成することが可能である。新しいダッシュボード385は、3つのウィンドウペイン390を有する。これらのペインの中の2つは、ダッシュボード325中のものと同一のビューA1およびC1を有する。しかし、他のウィンドウペインが、ブドウ糖変化のグラフを表示する新しいビューB2を有する。新しいダッシュボード385は、セーブすることが可能である。いくつかの実施形態においては、この新しいダッシュボードは、図1に図示されるようなダッシュボードデータベースまたはライブラリ120にセーブされる。それ以降は、この特定の患者に関しては、ダッシュボード385が(ダッシュボード325の代わりに)ダッシュボード310から開かれる。また、この設定は、セーブすることが可能であり、それにより、ユーザは、ダッシュボード325の代わりに他の患者に関するダッシュボード385を使用することも可能となる。例えば、同様の病状を有する患者を治療する場合に、デフォルトの予め設定されたダッシュボードの代わりに、再設定されたダッシュボード385がユーザに提示される。いくつかの実施形態においては、この再設定されたダッシュボードは、自動的に、または選択可能なオプション(例えばメニューアイテム、ツールボタンなど)として提供される。
【００３８】
図8は、ダッシュボードの設定の別の方法を示すダッシュボードの別の階層800を提示する。この図は、図7と同様である。しかし、この例においては、ダッシュボード385は、ペインの異なる組合せを含むようにカスタマイズされている。これは、ウィンドウペインが置換されているため、図7に図示される例と異なる。一方で、先の例においては、ウィンドウペインは変更されていないが、そのビューのみが変更されている。したがって、新しいダッシュボード385は3つのペイン395を有し、そのうちの2つは先の図中のものと同一である。しかし、ペインのC1代わりに、異なるペイン(すなわちペインD1)がダッシュボード385中に含まれる。ビュー設定のセーブと同様に、新しいペインの設定もまたセーブすることが可能であり、それによってユーザは他の患者に関するダッシュボード385を使用することが可能となる。
【００３９】
以下においてさらに説明されるように、ユーザは、新しいダッシュボードをプライベートなものに維持する、あるいは他のユーザがそれを共有するおよび/または修正することを許可するオプションを有する。いくつかの実施形態により、ユーザは、階層中の他のダッシュボードに新しいダッシュボードをリンクさせることが可能になる。例えば、ユーザは、ダッシュボード305に新しいダッシュボード385をリンクさせることができる。例えば、ダッシュボード305が患者の概要リストを含む場合には、ユーザは、ダッシュボード305におけるそれらの患者の選択と同時にダッシュボード385を表示するために、ダッシュボード305中の1人または複数の患者の名前に新しいダッシュボード385をリンクさせることが可能である。換言すれば、ユーザは、階層において数レベル高い別のダッシュボードから直接的にダッシュボード385をドリルダウンすることが可能である。
【００４０】
図9は、既存のダッシュボードにもとづいて新しいダッシュボードを作成するためのプロセス900を示す。図示されるように、このプロセスは、(905で)、先に設定されたダッシュボードを表示する要求を受信する。例えば、ユーザは、ダッシュボード600を表示させる、ダッシュボード500における患者リストウィンドウ505中のアイテムをクリックしていることがある。
【００４１】
次に、910で、このプロセスは、ユーザが選択されたダッシュボードを使用するための権限を有するか否かを決定する。ユーザが選択されたダッシュボードを使用するための権限を有さない場合には、このプロセスは、(930で)、現在のダッシュボードを表示し続け、上述の910へ進む。一方で、ユーザが選択されたダッシュボードを使用するための権限を有する場合には、このプロセスは、(915で)、選択されたダッシュボードを表示する。図10は、ユーザが権限を有する場合に表示されるダッシュボード1000の1つを例示する例を提示する。具体的には、ダッシュボード1000は、ラボ結果ウィンドウ1005を含む複数のウィンドウを含む。
【００４２】
次に、920で、このプロセスは、現在のダッシュボードにもとづいて新しいダッシュボードを作成する要求を受信する。ユーザは、現在のダッシュボードの1つまたは複数のウィンドウペインのビューを変更することによってこの新しいダッシュボードを作成することが可能である。例えば、ユーザは、ラボ結果ウィンドウ1005中のリストの代わりに、ブドウ糖に関するグラフを表示することがより適切であると決定してよい。このプロセスは、(925で)、ユーザが選択されたダッシュボードを修正する権限を有するか否かを決定する。ユーザがその権限を有さない場合には、このプロセスは、(930で)、現在のダッシュボードを表示し続け、上述の910に進む。
【００４３】
一方で、ユーザが選択されたダッシュボードを修正する権限を有する場合には、このプロセスは、(935で)、1つまたは複数のウィンドウペイン中で要求された変更を行うことによって新しいダッシュボードを作成する。図11は、既存のダッシュボード1000にもとづいて作成される新しいダッシュボード1100の1つを例示する例を提示する。図示されるように、ダッシュボード1100においては、ウィンドウペイン1005のビューは、ブドウ糖に関するリストの表示からブドウ糖に関するグラフ1105の表示へと変更される。
【００４４】
次に、940で、ユーザは、誰が新しいダッシュボードを表示するまたは修正することが可能であるかを決定するためのルールのセットを任意に作成する。また、ユーザは、新しいダッシュボードをいずれのカテゴリーの患者(例えば糖尿病患者など)について使用すべきかを決定することが可能である。また、ユーザは、1つまたは複数の他のダッシュボードに新しいダッシュボードをリンクさせることが可能である。例えば、ユーザは、概要リスト中のある特定の患者の名前にダッシュボード1100をリンクさせて、その患者の名前がユーザによって選択される場合に新しいダッシュボードを表示させることが可能である。
【００４５】
いくつかの実施形態によって、ユーザは、新しいダッシュボードをプライベートなものに維持すべきか否か、または何人かの他のユーザがこのダッシュボードを表示することが可能であるか否かを指定することが可能となる。また、いくつかの実施形態によって、ユーザは、ダッシュボードをさらに修正するために何人かの他のユーザに許諾を与えることが可能となる。いくつかの実施形態によって、ユーザは、階層中の他のダッシュボードに新しいダッシュボードをリンクさせることが可能となる。いくつかの実施形態によって、ユーザは、1人または複数の患者に関する臨床データを表示するための新しいダッシュボードを指定することが可能となる。
【００４６】
次に、945で、このプロセスは、将来的な利用のために、新しいダッシュボードおよびそれに関連付けされるルールを保存する。したがって、ある特定の病状を有する患者を治療する際に、ダッシュボード内に最も関連のある情報が医師に初めに提示される。図12〜図13は、最も重要な要素をドリルダウンするダッシュボードの表示の1つを例示する例を提示する。図12に図示されるように、1人または複数の患者に関する概要リスト1205が初めにユーザに提示される。いくつかの実施形態においては、メニューバー中のメニューアイテムが選択されると、概要リストが提示される。概要リスト1205は、患者の病状1210を含む。また、概要リストは、患者の部屋番号、MR番号、PAD、担当医師名、サービス名、科名、ラボ、バイタルレンジ、手術リスト(データ、術後診断、手術タイトル、医師をそれぞれ含む)、最も直近のCXRのインプレッション部位、MRIスキャン、CTスキャン、最新の看護士EOSS、24時間グラフ(例えばHR、RR、システムBP、温度、酸素飽和、GCS、MEWS、Apache、SAPS、MARなど)などの、他の情報を含んでよい。この例においては、病状は、この患者が高血糖に関して治療を受けていることを提示する。
【００４７】
病状1210が選択されると(例えばアイテムのクリックによって)、図13に図示されるようなダッシュボード1300がユーザに提示される。図示されるように、このダッシュボードは、(1)患者の診断の詳細な考察を提供するレポートウィンドウ1305、(2)患者のブドウ糖値に関する情報を提供するブドウ糖グラフ1310、(3)ラボ結果ウィンドウ1315および(4)スキャンウィンドウ1320を含む。したがって、概要リスト1205中の患者の条件をワンクリックすることにより、関連情報を含むダッシュボードがユーザに提示される。この目的は、条件が特定されると、ユーザが閲覧を希望する情報を表示するための追加的な選択が一切不要となることである。
【００４８】
いくつかの実施形態においては、患者名を選択することにより、患者の入院時診断に関連する第1のダッシュボードが開かれ、病状を選択することにより、病状の治療に関連する第2のダッシュボードが開かれる。上述のように、ダッシュボードは、そのような条件を有する患者の治療に関する様々な診療記録について記載しているものなどの他のダッシュボードへの1つまたは複数のリンクを提供することができる。いくつかの実施形態においては、ユーザが概要ウィンドウ中の条件などのアイテムを選択すると、1つだけのダッシュボードではなく複数のダッシュボードがユーザに提示される。例えば、ユーザがアイテムを選択した場合に、患者の条件に関連するダッシュボードおよびそのような条件の治療に関連するダッシュボードを提示することができる。
【００４９】
ダッシュボードの設定および保存の複数の他の実施形態が、この出願と同時に出願された米国特許出願整理番号第12/036,287号において説明される。前記出願は、参照により本明細書に組み込まれる。
【００５０】
IV. コンピュータシステム
図14は、本発明のいくつかの実施形態を実現するコンピュータシステムを概念的に示す。コンピュータシステム1400は、バス1405、プロセッサ1410、システムメモリ1415、リードオンリーメモリ1420、永久記憶デバイス1425、入力デバイス1430および出力デバイス1435を含む。また、いくつかの実施形態においては、コンピュータシステムは、グラフィックプロセッシングユニット(GPU)1475を含む。
【００５１】
バス1405は、コンピュータシステム1400の内部デバイス間の通信をサポートする全てのシステムバス、周辺バスおよび、チップセットバスを集合的に指す。例えば、バス1405は、リードオンリーメモリ1420、システムメモリ1415および永久記憶デバイス1425にプロセッサ1410を通信可能に接続する。
【００５２】
これらの種々のメモリユニットから、プロセッサ1410(中央処理装置すなわちCPUとも呼ばれる)は、本発明のプロセスを実行するために実行すべき指示と、処理すべきデータとを取り出す。リードオンリーメモリ(ROM)1420は、静的データと、プロセッサ1410およびコンピュータシステムの他のモジュールに必要な指示とを保存する。一方で、永久保存デバイス1425は、リードアンドライトメモリデバイスである。このデバイスは、コンピュータシステム1400がオフである場合でも、指示およびデータを保存する不揮発性メモリユニットである。本発明のいくつかの実施形態は、永久記憶デバイス1425として、大容量記憶デバイス(磁気また光学ディスクおよびそれに対応するディスクドライブなど)を使用する。他の実施形態は、永久記憶デバイスとして、リムーバブルストレージデバイス(フロッピー（登録商標）ディスクまたはzip(登録商標)ディスクおよび、それに対応するディスクドライブなど)を使用する。
【００５３】
永久記憶デバイス1425と同様に、システムメモリ1415は、リードアンドライトメモリデバイスである。しかし、記憶デバイス1425とは異なり、このシステムメモリは、ランダムアクセスメモリなどの揮発性リードアンドライトメモリである。このシステムメモリは、プロセッサが実行時に必要とする指示およびデータの一部を保存する。
【００５４】
いくつかの実施形態のプロセスを実施するために必要な指示および/またはデータは、システムメモリ1415、永久記憶デバイス1425、リードオンリーメモリ1420またはこれら3つの任意の組合せに保存される。例えば、種々のメモリユニットが、いくつかの実施形態に従ってマルチメディアアイテムを処理するための指示を含んでよい。これら種々のメモリユニットから、プロセッサ1410は、いくつかの実施形態のプロセスを実行するために実行すべき指示と、処理すべきデータとを取り出す。
【００５５】
また、バス1405は、入力デバイス1430および出力デバイス1435に接続する。入力デバイスにより、ユーザは、コンピュータシステムに対して情報を通信しコマンドを選択することが可能となる。入力デバイス1430には、英数字キーボード、タッチパネルおよびカーソルコントローラが含まれる。また、入力デバイス1430には、コンピュータシステムに画像を入力することが可能なスキャナが含まれる。出力デバイス1435は、コンピュータシステムにより生成された画像を表示する。例えば、これらのデバイスは、ICデザインレイアウトを表示する。出力デバイスには、プリンタ、ペンプロッタ、レーザプリンタ、インクジェットプロッタ、フィルムレコーダならびに、ブラウン管(CRT)、液晶ディスプレイ(LED)またはエレクトロルミネッセントディスプレイなどのディスプレイデバイスが含まれる。
【００５６】
また、図14に図示されるように、バス1405はまた、ネットワークアダプタ(図示せず)を介してネットワーク1465にコンピュータ1400を結合する。この様式においては、コンピュータは、コンピュータのネットワーク(ローカルエリアネットワーク(「LAN」)、ワイドエリアネットワーク(「WAN」)またはイントラネットなど)、あるいはネットワークのネットワーク(インターネットなど)の一部であることが可能である。また、最後に、図14に図示されるように、いくつかの実施形態におけるコンピュータシステムは、グラフィックプロセッシングユニット(GPU)1475を任意に含む。GPU(ビジュアルプロセッシングユニットまたはディスプレイプロセッサとも呼ばれる)は、コンピュータグラフィックスの操作および表示において非常に効率的な専用のグラフィックレンダリングデバイスである。GPUは、ビデオカード(図示せず)の中に含むことが可能であり、またはプロセッサ1410と共にコンピュータシステムのマザーボードに組み込むことが可能である。また、コンピュータシステム1400は、パーソナルコンピュータ、ワークステーション、ゲームコンソールなどとして使用することができる。コンピュータシステム1400のコンポーネントのいずれかまたは全てを、本発明と組み合わせて使用してよい。しかし、任意の他のシステム構成を本発明と組み合わせて使用してもよいことが当業者には理解されよう。
【００５７】
本発明を多数の特定の詳細を参照として説明したが、本発明の精神から逸脱することなく他の特定の形式において本発明を具現化することが可能であることが当業者には理解されよう。他の場合においては、本発明の真の範囲から逸脱することなく、様々な変更を行うことができ、均等物を説明された要素の代替とすることができる。例えば、複数の例示のダッシュボードが、マルチドキュメントインターフェース(MDI)の一部として示されたが、ペアレントウィンドウを伴うことなくペインのグループとしてダッシュボードを提供することが可能であることが、当業者には理解されよう。また、ダッシュボードは、例えばコンピュータディスプレイ、PDA、携帯電話などの様々な実施形態における様々なインターフェースデバイス上に表示させることが可能であることが当業者には理解されよう。さらに、様々のウィンドウのビューの複数を組み合わせて統合型ビューを提供し得ることが当業者には理解されよう。例えば、ラボ結果のグラフを表示するためのタブを選択する代わりに、ウィンドウが、ラボ結果および1つまたは複数のグラフの両方を含んでよい。
【符号の説明】
【００５８】
105  患者データソース
110  臨床データマネジャ
115  臨床情報インターフェース
120  ダッシュボードライブラリまたはデータベース
200  臨床情報インターフェース
205  複数のウィンドウ
210  ウィンドウペイン
215  ウィンドウペイン
220  タイトルバー
225  メニューバー
230  タイトルバー
235  メニューバー
240  マスターツールバー
245  タブ
300  ダッシュボードの階層
305  最上レベルノード
310  ノード
315  ノード
320  ノード
325  ノード
330  ノード
335  ノード
340  ノード
345  ウィンドウペイン
350  ウィンドウペイン
355  ウィンドウペイン
360  ウィンドウペイン
365  ウィンドウペイン
370  ウィンドウペイン
375  ウィンドウペイン
380  ウィンドウペイン
385  ダッシュボード
390  ウィンドウペイン
395  ペイン
500  ダッシュボード
505  患者リストウィンドウ
510  スキャン結果ウィンドウ
515  ラボ結果ウィンドウ
520  デモグラフィックウィンドウ
525  看護情報ウィンドウ
530  バイタルウィンドウ
535  レポートウィンドウ
600  ダッシュボード
605  ブドウ糖のグラフ
610  温度のグラフ
615  画像ビュー
700  ダッシュボードの階層
800  ダッシュボードの階層
1000  ダッシュボード
1005  ラボ結果ウィンドウ
1100  ダッシュボード
1105  ブドウ糖に関するグラフ
1205  患者に関する概要リスト
1210  患者の病状
1300  ダッシュボード
1305  レポートウィンドウ
1310  ブドウ糖グラフ
1315  ラボ結果ウィンドウ
1320  スキャンウィンドウ
1400  コンピュータシステム
1405  バス
1410  プロセッサ
1415  システムメモリ
1420  リードオンリーメモリ
1425  永久記憶デバイス
1430  入力デバイス
1435  出力デバイス
1465  ネットワーク
1475  グラフィックプロセッシングユニット
【図１】
0005324252.tif 000002
【図３】
0005324252.tif 000003
【図４】
0005324252.tif 000004
【図７】
0005324252.tif 000005
【図８】
0005324252.tif 000006
【図９】
0005324252.tif 000007
【図１４】
0005324252.tif 000008
【図２】
0005324252.tif 000009
【図５】
0005324252.tif 000010
【図６】
0005324252.tif 000011
【図１０】
0005324252.tif 000012
【図１１】
0005324252.tif 000013
【図１２】
0005324252.tif 000014
【図１３】
0005324252.tif 000015